(57)【要約】  基部（２）と、この基部（２）上に編み立て方向に沿って相互に平行に形成された複数の凸条部（６）とを有する経編地（１）であって、前記各凸条部（６）は、前記編み立て方向に沿って延びた編み列から形成される帯状の頂部（３）と、前記頂部（３）の両側の下方に位置し、且つ該頂部（３）に沿って延びた編み列からそれぞれ形成される一対の側壁部（４），（５）とから構成され、前記各側壁部（４），（５）の編み列は、その基部（２）側が前記基部（２）に編み込まれるとともに、その頂部（２）側が前記頂部（２）に編み込まれて、前記基部（２）と前記頂部（３）とを連結しており、前記一対の側壁部（４），（５）の少なくとも一方は、前記編み立て方向において、その少なくとも一部に他の部分とは異なる色の編糸で編成された異色編成部を有している。
2018066463.tif 000002
【特許請求の範囲】
【請求項１】
基部と、該基部上に編み立て方向に沿って相互に平行に形成された複数の凸条部とを有する経編地であって、
前記各凸条部は、
前記編み立て方向に沿って延びた編み列から形成される帯状の頂部と、
前記頂部の両側の下方に位置し、且つ該頂部に沿って延びた編み列からそれぞれ形成される一対の側壁部とから構成され、
前記各側壁部の編み列は、その基部側が前記基部に編み込まれるとともに、その頂部側が前記頂部に編み込まれて、前記基部と前記頂部とを連結しており、
前記一対の側壁部の少なくとも一方は、前記編み立て方向において、その少なくとも一部に他の部分とは異なる色の編糸で編成された異色編成部を有していることを特徴とする経編地。
【請求項２】
前記各凸条部の側壁部に設けられる異色編成部は、該経編地を外方から視認したときに、所定の模様を呈するように配置されていることを特徴とする請求項１記載の経編地。
【請求項３】
前記一対の側壁部を形成する各編み列は、互いに異なる色の編糸で編成されており、該各編み列の編糸が相互に入れ替わることによって、前記一対の側壁部にそれぞれ前記異色編成部が形成されていることを特徴とする請求項１又は２記載の経編地。
【請求項４】
相互に隣接する少なくとも２以上の凸条部における頂部が連結された複数の連結凸条部が形成されており、
編み立て方向と直交する方向における前記連結凸条部の両端に位置する２つの凸条部は、該経編地を外方から視認したときに、視認する方向に応じて、呈する模様が変化するように、各側壁部に異色編成部が配置されていることを特徴とする請求項３記載の経編地。
【請求項５】
相互に隣接した前記凸条部において、相互に対向する前記各側壁部を形成する編み列は、互いに異なる色の編糸で編成されており、その一方の側壁部を形成する編み列の編糸と、これに対向する側壁部を形成する編み列の編糸とが入れ替わることによって、相互に対向する前記各側壁部にそれぞれ前記異色編成部が形成されていることを特徴とする請求項１又は２記載の経編地。
【請求項６】
前記頂部は、挿入糸によって連結された少なくとも２列の鎖編み列から形成され、
前記一対の側壁部は、それぞれ鎖編み列から形成されるとともに、該各側壁部を形成する鎖編み列は、頂部側に形成されたループが前記頂部の鎖編み列中に挿入された状態で編み込まれていることを特徴とする請求項１乃至５記載のいずれかの経編地。
【請求項７】
所定方向に間隔を空けて整列された複数の編針をそれぞれ有し、該整列された編針の列が相互に対向するように配置された少なくとも一対の針床と、前記各編針に編糸を供給する供給機構とを備えた編機であって、前記供給機構が、複数のガイドを有する複数の地筬及び前記針床に平行な方向への移動が制御される複数のガイドを有する２つのジャカード筬を備えた編機を用いて、
基部と、該基部上に編み立て方向に沿って相互に平行に形成された複数の凸条部とを有し、該凸条部が頂部及び該頂部と前記基部とを連結する一対の側壁部から構成される経編地を編成する方法であって、
前記一対の側壁部の一方を編成するための編針であって、一方の前記針床に組み込まれた第１編針に、一方の前記ジャカード筬のガイドを用いて第１編糸を導くとともに、他方の前記側壁部を編成するための編針であって、同じく一方の前記針床に組み込まれた第２編針に、他方の前記ジャカード筬のガイドを用いて前記第１編糸とは異なる色の第２編糸を導くようにし、
前記一方の針床を用いて前記各側壁部の編み列を編成する際に、予め設定したタイミングで、前記針床と平行な方向における、前記第１編糸を導くガイドの位置と、前記第２編糸を導くガイドの位置とを入れ替えて、前記一対の側壁部を編成する各編糸を相互に入れ替えることにより、前記各側壁部がそれぞれ編み立て方向において異なる色の編糸で編成されるようにしたことを特徴とする、経編地の編成方法。
【請求項８】
相互に隣接する少なくとも２以上の凸条部における頂部が連結された複数の連結凸条部を形成するように編成するとともに、
編み立て方向と直交する方向における前記連結凸条部の両端に位置する２つの凸条部を編成する際に、編成される経編地を外方から視認したときに、視認する方向に応じて、呈する模様が変化するように、一方の凸条部の側壁部の編み列を編成する際における一対の側壁部を編成する各編糸を相互に入れ替えるタイミングと、他方の凸条部の側壁部の編み列を編成する際における一対の側壁部を編成する各編糸を相互に入れ替えるタイミングとを設定することを特徴とする請求項７記載の、経編地の編成方法。
【請求項９】
所定方向に間隔を空けて整列された複数の編針をそれぞれ有し、該整列された編針の列が相互に対向するように配置された少なくとも一対の針床と、前記各編針に編糸を供給する供給機構とを備えた編機であって、前記供給機構が、複数のガイドを有する複数の地筬及び前記針床に平行な方向への移動が制御される複数のガイドを有する２つのジャカード筬を備えた編機を用いて、
基部と、該基部上に編み立て方向に沿って相互に平行に形成された複数の凸条部とを有し、該凸条部が頂部及び該頂部と前記基部とを連結する一対の側壁部から構成される経編地を編成する方法であって、
相互に隣接した前記凸条部における、相互に対向した一方の側壁部を編成するための編針であって、一方の前記針床に組み込まれた第１編針に、一方の前記ジャカード筬のガイドを用いて第１編糸を導くとともに、対向する他方の側壁部を編成するための編針であって、同じく一方の前記針床に組み込まれた第２編針に、他方の前記ジャカード筬のガイドを用いて第１編糸とは異なる色の第２編糸を導くようにし、
前記一方の針床を用いて前記各側壁部の編み列を編成する際に、予め設定したタイミングで、前記針床と平行な方向における、前記第１編糸を導くガイドの位置と、前記第２編糸を導くガイドの位置とを入れ替えて、相互に対向する各側壁部を編成する各編糸を相互に入れ替えることにより、前記各側壁部がそれぞれ編み立て方向において異なる色の編糸によって編成されるようにしたことを特徴とする、経編地の編成方法。
【請求項１０】
他方の前記針床により、少なくとも２列の鎖編み列を編成するとともに、挿入糸によって該複数の鎖編み列を連結して前記頂部を形成し、
一方の前記針床により、前記頂部の鎖編み列中に挿入されたループを前記他方の針床と対向する側に形成するように鎖編み列を編成して、前記頂部に連結された各側壁部を形成するとともに、該各側壁部に連結された基部を形成するようにしたことを特徴とする請求項７乃至９記載のいずれかの、経編地の編成方法。
【発明の詳細な説明】
【技術分野】
【０００１】
本発明は、編み立て方向に沿って凸条部が形成された経編地及びその編成方法に関し、特に、編み立て方向と交差する方向から経編地を見る際の観察者の位置に応じて、その見え方が変化する経編地及びその編成方法に関する。
【背景技術】
【０００２】
近年、衣服や靴、鞄などに独創的なデザインを求める需要者が増加しており、そのような需要者の要望に応えるべく、衣服等に優れた美観や躍動感を持たせ、そのデザインを独創的なものにする方法についての研究開発が盛んに行われている。そのような方法の１つとして、衣服等の素材である経編地に色彩効果を付与する方法がある。例えば、従来から、色や素材が異なる複数の糸を使用したり、種々の編組織を組み合わせたりする手法を用いることで経編地に色彩効果を付与する試みがなされており、このような色彩効果が付与された経編地を用いることで、衣服等に従来とは異なる美観などを持たせ、従来にないデザインの衣服等を製作することが可能となる。【０００３】
上述したような色彩効果を付与した経編地としては、例えば、下記特許文献１（特開２００３−４１４６５号公報）に開示されるような、いわゆる玉虫調と称される色彩効果を付与した経編地や、特許文献２（特開２０１３−１２４４１９号公報）に開示されるような、表面に凹凸模様の装飾を施すことによって色彩効果を付与した経編物が提案されている。【０００４】
上記特許文献１に開示された経編地は、左右対称に編み込まれている２本のナイロン糸からなる編み組織に、２本のレーヨン糸が左右対称に挿入されて連続的にウェール方向に編み込まれるように編地を編成した後、ナイロン糸とレーヨン糸とを異なる色の染料によって染め分けたものである。この特許文献１に開示された経編地は、ナイロン糸とレーヨン糸とが染め分けられていることにより、編地全体が玉虫色の光彩を有したものとなっている。【０００５】
上記特許文献２に開示された経編地は、上地と下地とからなる複合生地であって、上地と下地とが結合された一重組織部と、上地と下地とが分離して二重になった袋組織部とが、それぞれ編み立て方向に沿って延び、且つこれらが編み立て方向と交差する方向において交互に配置されるように形成されている。そして、この経編地は、袋組織部の下地の編糸に熱収縮性繊維糸が用いられており、製造時に熱処理が施されて熱収縮性繊維糸が収縮されることによって、袋組織部の上地が隆起した凸条が形成され、表面に凹凸模様が現れている。この特許文献２に開示された経編地では、編み立て方向に延びた凸条の２つの側面となる上地の各部分に異なる色の編糸を用いるようにし、上記２つの側面のうちの一方面側から見た場合と他方面側から見た場合とで異なる色が観察者に視認されるという、色彩効果が発揮されるようにしている。【０００６】
このように、上記いずれの従来技術においても、経編地に色彩効果が付与されているため、これら経編地を使用した衣服等は、着用者の動きにより経編地に対する観察者の相対的な位置が変化してその見え方が変わり、通常とは異なる美観や躍動感が発揮され、色彩効果が付与されていないものを使用したものとは印象の異なったデザインとなる。
【先行技術文献】
【特許文献】
【０００７】
【特許文献１】特開２００３−４１４６５号公報
【特許文献２】特開２０１３−１２４４１９号公報
【発明の概要】
【発明が解決しようとする課題】
【０００８】
ところで、上記特許文献１に開示された経編地では、色彩効果を得るために、編地編成後に２回の染色工程を行わなければならず、製造工程が複雑となり手間が掛かるため、生産コストが嵩み、また、使用する編糸が染め分けられるものでなければならないため、編糸の材質が制限されるという問題がある。【０００９】
更に、異なった染色工程を行うことによって、必然的に使用される染料の量も増加することになるため、廃液処理にコストが掛かり、また、環境への負担が大きいという問題もある。【００１０】
また、上記特許文献２に開示された経編地においては、袋組織部の下地を熱収縮させ、同部の上地を隆起させることで凸条を形成するようにしているため、凸条の形状が自由に制御されるものではなく、形状にバラツキが生じ易い。そのため、形成される凸条の中には、本来であれば２つの側面の内の一方面にのみ配置されるべき色が他方面の一部に部分的に配置された状態のものが含まれ易く、このような凸条が含まれていると、経編地を他方面から見た際に、一方面に配置されるべき色が部分的に視認される統一感の欠けた状態となり、十分な色彩効果を得難いという問題がある。【００１１】
このように、特許文献２に開示された経編地には、色彩効果が十分に発揮され難いという問題があるため、これを衣服等に使用したとしても、衣服等に付与される美感や躍動感は必ずしも十分なものではない。【００１２】
更に、上記特許文献２に開示された経編地は、凸条の２つの側面にそれぞれ単一の色が配色されているに過ぎないため、デザイン的には極めて単調なものにならざるを得ない。このため、衣服等を製作する際にこの経編地を用いたとしても、独創的なデザインの衣服等を製作することは困難である。【００１３】
本発明は以上の実情に鑑みなされたものであり、使用する編糸の材質が特に制限されることなく、低コストで製造することができ、また、安定した独特の色彩効果を発揮することが可能であり、衣服等のデザインを従来よりも独創性の高いものにすることができる経編地及びその編成方法の提供を、その目的とする。
【課題を解決するための手段】
【００１４】
上記課題を解決するための本発明は、
基部と、該基部上に編み立て方向に沿って相互に平行に形成された複数の凸条部とを有する経編地であって、
前記各凸条部は、
前記編み立て方向に沿って延びた編み列から形成される帯状の頂部と、
前記頂部の両側の下方に位置し、且つ該頂部に沿って延びた編み列からそれぞれ形成される一対の側壁部とから構成され、
前記各側壁部の編み列は、その基部側が前記基部に編み込まれるとともに、その頂部側が前記頂部に編み込まれて、前記基部と前記頂部とを連結しており、
前記一対の側壁部の少なくとも一方は、前記編み立て方向において、その少なくとも一部に他の部分とは異なる色の編糸で編成された異色編成部を有している経編地に係る。【００１５】
上記経編地は、凸条部を構成する一対の側壁部の少なくとも一方に、編み立て方向において、その少なくとも一部に他の部分とは異なる色の編糸で編成された異色編成部が設けられていることにより、観察者がこの経編地を見る際の位置に応じて、その見た目が変化するという色彩効果を発揮する。【００１６】
例えば、前記一対の側壁部の一方が編み立て方向に沿って順番に第１色の編糸で編成された部分、第２色の編糸で編成された部分（異色編成部）を有している場合には、経編地を前記一方の側壁部側から見ると、頂部の色とともに、一方の側壁部の第１色及び第２色が観察者に視認される。これに対して、経編地を正面から見ると、頂部の色、或いは頂部の色及び一対の側壁部の色が観察者に視認され、経編地を他方側壁部側から見た場合には、頂部の色とともに、他方側壁部の色が観察者に視認される。【００１７】
したがって、このような経編地は、一方の側壁部が単色のものよりも複雑なデザインを表現することが可能であり、観察者が当該経編地を見る際の位置に応じた見た目の変化が大きいという、従来にはない独特の色彩効果を発揮するものとなる。【００１８】
また、前記一対の側壁部の一方が編み立て方向に沿って順番に第１色の編糸で編成された部分、第２色の編糸で編成された部分（異色編成部）を有し、他方が編み立て方向に沿って順番に第２色の編糸で編成された部分、第１色の編糸で編成された部分（異色編成部）を有している場合、即ち、一対の側壁部の両方が前記異色編成部を有している場合には、各側壁部側から経編地を見た際に、この各側壁部が有する第１色及び第２色が観察者に視認され、正面から経編地を見た際に、頂部の色、或いは頂部の色及び一対の側壁部の色が観察者に視認される。したがって、この場合も、一対の側壁部がそれぞれ１色のみを有している場合よりも複雑なデザインを表現することが可能であり、観察者が経編地を見る際の位置に応じた見た目の変化が大きいという、独特な色彩効果が発揮される。【００１９】
更に、上記経編地において、前記各側壁部の編み列は、その基部側が基部に編み込まれるとともに、その頂部側が頂部に編み込まれて、基部と頂部とを連結しているため、凸条部の形状が崩れ難くなっている。このため、上記経編地によれば、凸条部が極端に変形して十分な色彩効果が発揮されなくなるといった問題の発生が抑えられる。【００２０】
尚、１つの側壁部に設けられる異色編成部の数は、上記のように、１個であっても良いし、２個以上であっても良い。【００２１】
また、上記経編地において、前記各凸条部の側壁部に設けられる異色編成部は、該経編地を外方から視認したときに、所定の模様を呈するように配置されていることが好ましい。【００２２】
このようにすれば、従来のようなデザインが単調なものと比較して、外観が優れたものとなり、また、経編地を見る際の位置に応じた見た目の変化がより大きくなった独特の色彩効果を発揮させることができる。【００２３】
更に、このような経編地によれば、異色編成部の位置を変更することによって、外方から経編地を見た観察者が視認する模様を、例えば、水玉模様や市松模様に変化させることができるため、様々なバリエーションのデザインを容易に創出することができる。【００２４】
また、上記経編地において、前記一対の側壁部を形成する各編み列は、互いに異なる色の編糸で編成されており、該各編み列の編糸が相互に入れ替わることによって、前記一対の側壁部にそれぞれ前記異色編成部が形成されていても良い。【００２５】
このような経編地は、所定方向に間隔を空けて整列された複数の編針をそれぞれ有し、該整列された編針の列が相互に対向するように配置された少なくとも一対の針床と、前記各編針に編糸を供給する供給機構とを備えた編機であって、前記供給機構が、複数のガイドを有する複数の地筬及び前記針床に平行な方向への移動が制御される複数のガイドを有する２つのジャカード筬を備えた編機を用いて、
基部と、該基部上に編み立て方向に沿って相互に平行に形成された複数の凸条部とを有し、該凸条部が頂部及び該頂部と前記基部とを連結する一対の側壁部から構成される経編地を編成する方法であって、
前記一対の側壁部の一方を編成するための編針であって、一方の前記針床に組み込まれた第１編針に、一方の前記ジャカード筬のガイドを用いて第１編糸を導くとともに、他方の前記側壁部を編成するための編針であって、同じく一方の前記針床に組み込まれた第２編針に、他方の前記ジャカード筬のガイドを用いて前記第１編糸とは異なる色の第２編糸を導くようにし、
前記一方の針床を用いて前記各側壁部の編み列を編成する際に、予め設定したタイミングで、前記針床と平行な方向における、前記第１編糸を導くガイドの位置と、前記第２編糸を導くガイドの位置とを入れ替えて、前記一対の側壁部を編成する各編糸を相互に入れ替えることにより、前記各側壁部がそれぞれ編み立て方向において異なる色の編糸で編成されるようにした、経編地の編成方法によって好適に編成することができる。【００２６】
このようにして編成された経編地は、一方の側壁部側から経編地を見た場合と他方の側壁部側から経編地を見た場合とで、その見た目が全く異なったものとなる。【００２７】
例えば、一対の側壁部の一方を構成する編み列を第１色の編糸で編み始め、他方の側壁部を構成する編み列を第２色の編糸で編み始めるようにし、編み立て方向において２カ所で編糸を入れ替えるようにした場合、一方の側壁部は、編み立て方向に沿って順番に第１色の編糸で編成された部分、第２色の編糸で編成された部分（異色編成部）、第１色の編糸で編成された部分を有した状態となる。これに対して、他方の側壁部は、編み立て方向に沿って順番に第２色の編糸で編成された部分、第１色の編糸で編成された部分（異色編成部）、第２色の編糸で編成された部分を有した状態となる。即ち、一方の側壁部が第１色の編糸で編成された部分であれば、編み立て方向における同じ位置において、他方の側壁部は第２色の編糸で編成された部分となり、逆に、一方の側壁部が第２色の編糸で編成された部分であれば、他方の側壁部は第１色の編糸で編成された部分となる。そのため、このように編成された経編地は、一方の側壁部側から見た場合と他方の側壁部側から見た場合とで、その外観が大きく変化するという色彩効果を発揮する。【００２８】
また、このような経編地において、各凸条部の側壁部に設けられる異色編成部を、経編地を外方から視認したときに所定の模様を呈するように配置するようにすれば、経編地を見る際の位置に応じて色彩の異なる模様が観察者によって視認される。したがって、この経編地は、見た目の変化がより一層大きい色彩効果を発揮するものとなる。【００２９】
更に、上記経編地において、相互に隣接する少なくとも２以上の凸条部における頂部が連結された複数の連結凸条部が形成されており、編み立て方向と直交する方向における前記連結凸条部の両端に位置する２つの凸条部は、該経編地を外方から視認したときに、視認する方向に応じて、呈する模様が変化するように、各側壁部に異色編成部が配置されていても良い。【００３０】
このような経編地は、上記経編地の編成方法において、相互に隣接する少なくとも２以上の凸条部における頂部が連結された複数の連結凸条部を形成するように編成するとともに、編み立て方向と直交する方向における前記連結凸条部の両端に位置する２つの凸条部を編成する際に、編成される経編地を外方から視認したときに、視認する方向に応じて、呈する模様が変化するように、一方の凸条部の側壁部の編み列を編成する際における一対の側壁部を編成する各編糸を相互に入れ替えるタイミングと、他方の凸条部の側壁部の編み列を編成する際における一対の側壁部を編成する各編糸を相互に入れ替えるタイミングとを設定する編成方法によって、好適に編成することができる。【００３１】
このようにして編成された経編地は、前記連結凸条部の両端に位置する２つの凸条部の各側壁部の内、それぞれ１つ側壁部が頂部によって隠れた状態となる。そして、観察者によって視認される側壁部の異色編成部を編み立て方向においてずれた位置に配置することや、異色編成部ごとに編み立て方向における大きさを変えることで、経編地を外方から視認したときに、視認する方向に応じて、呈する模様が変化するようになる。したがって、当該経編地は、編み立て方向と交差する方向からこの経編地を見る際の観察者の位置に応じて、その見た目、特に、模様が大きく変化するという独特の色彩効果を発揮する。【００３２】
また、上記経編地は、相互に隣接した前記凸条部において、相互に対向する前記各側壁部を形成する編み列が、互いに異なる色の編糸で編成されており、その一方の側壁部を形成する編み列の編糸と、これに対向する側壁部を形成する編み列の編糸とが入れ替わることによって、相互に対向する前記各側壁部にそれぞれ前記異色編成部が形成されているようにしても良い。【００３３】
このような経編地は、所定方向に間隔を空けて整列された複数の編針をそれぞれ有し、該整列された編針の列が相互に対向するように配置された少なくとも一対の針床と、前記各編針に編糸を供給する供給機構とを備えた編機であって、前記供給機構が、複数のガイドを有する複数の地筬及び前記針床に平行な方向への移動が制御される複数のガイドを有する２つのジャカード筬を備えた編機を用いて、
基部と、該基部上に編み立て方向に沿って相互に平行に形成された複数の凸条部とを有し、該凸条部が頂部及び該頂部と前記基部とを連結する一対の側壁部から構成される経編地を編成する方法であって、
相互に隣接した前記凸条部における、相互に対向した一方の側壁部を編成するための編針であって、一方の前記針床に組み込まれた第１編針に、一方の前記ジャカード筬のガイドを用いて第１編糸を導くとともに、対向する他方の側壁部を編成するための編針であって、同じく一方の前記針床に組み込まれた第２編針に、他方の前記ジャカード筬のガイドを用いて第１編糸とは異なる色の第２編糸を導くようにし、
前記一方の針床を用いて前記各側壁部の編み列を編成する際に、予め設定したタイミングで、前記針床と平行な方向における、前記第１編糸を導くガイドの位置と、前記第２編糸を導くガイドの位置とを入れ替えて、相互に対向する各側壁部を編成する各編糸を相互に入れ替えることにより、前記各側壁部がそれぞれ編み立て方向において異なる色の編糸によって編成されるようにした、経編地の編成方法によって好適に編成することができる。【００３４】
このように編成された経編地によれば、前記相互に対向する各側壁部の一方側から経編地を見た場合と他方側から見た場合の見た目を大きく変化させることができる。【００３５】
例えば、相互に対向する前記各側壁部の一方を構成する編み列を第１色の編糸で編み始め、対向する他方の側壁部を構成する編み列を第２色の編糸で編み始めるようにし、編み立て方向において３カ所で編糸を入れ替えるようにした場合、一方の側壁部は、編み立て方向に沿って順番に第１色の編糸で編成された部分、第２色の編糸で編成された部分（異色編成部）、第１色の編糸で編成された部分、第２色の編糸で編成された部分（異色編成部）を有した状態となる。これに対して、対向する他方の側壁部は、編み立て方向に沿って順番に第２色の編糸で編成された部分、第１色の編糸で編成された部分（異色編成部）、第２色の編糸で編成された部分、第１色の編糸で編成された部分（異色編成部）を有した状態となり、一方の側壁部が第１色の編糸で編成された部分であれば、編み立て方向における同じ位置において、他方の側壁部は第２色の編糸で編成された部分となり、逆に、一方の側壁部が第２色の編糸で編成された部分であれば、他方の側壁部は第１色の編糸で編成された部分となる。したがって、このように編成された経編地は、一方の側壁部側から見た場合と対向する他方の側壁部側から見た場合とでその外観が大きく変化するという色彩効果を発揮する。【００３６】
尚、このような経編地においても、各凸条部の側壁部に設けられる異色編成部を、経編地の外方から視認したときに所定の模様を呈するように配置すれば、経編地を見る際の位置によって観察者が視認する模様の色彩が異なったものとなる。したがって、この経編地は、見た目の変化がより一層大きい色彩効果を発揮するものとなる。【００３７】
尚、上記経編地において、前記頂部は、挿入糸によって連結された少なくとも２列の鎖編み列から形成され、前記一対の側壁部は、それぞれ鎖編み列から形成されるとともに、該各側壁部を形成する鎖編み列は、頂部側に形成されたループが前記頂部の鎖編み列中に挿入された状態で編み込まれていることが好ましい。【００３８】
この場合、上記各編成方法において、他方の前記針床により、少なくとも２列の鎖編み列を編成するとともに、挿入糸によって該複数の鎖編み列を連結して前記頂部を形成し、
一方の前記針床により、前記頂部の鎖編み列中に挿入されたループを前記他方の針床と対向する側に形成するように鎖編み列を編成して、前記頂部に連結された各側壁部を形成するとともに、該各側壁部に連結された基部を形成するようにした、経編地の編成方法によって好適に編成することができる。【００３９】
このようにすれば、経編地を編成する段階で、基部と凸条部とを鎖編み列によって形成することができるため、従来のように、編成後に所定の処理を施して凸条を形成する場合と比較して、凸条部の形状にバラツキが生じ難くなり、当該凸条部の形状がバラつくことによって色彩効果が十分に発揮されなくなるという問題を解消することができる。また、編成後の染色工程を必要としないため、コストの増加を抑えることができる。【００４０】
尚、経編地に使用される編糸は、上記のように、凸条部を構成する一対の側壁部の少なくとも一方が、前記異色編成部を有するようにすれば、経編地の編成に用いられる編糸の材質や色は特に限定されるものではなく、フィラメント糸や紡績糸を自由に選択し使用することができる。
【発明の効果】
【００４１】
以上のように、本発明に係る経編地は、使用される編糸の材質が特に制限されることなく、低コストで製造することができるとともに、見た目の変化が従来よりも大きい独特の色彩効果を安定して発揮することができる。したがって、本発明に係る経編地を衣服等に使用すれば、衣服等に独特の色彩効果による優れた美観や躍動感を与えることができる。  【００４２】
また、本発明に係る編地の編成方法によれば、従来にはない独特の色彩効果を発揮する経編地を編成することができ、また、凸条部の形状にバラツキを生じ難くすることができるため、編成される経編地が上記色彩効果を十分に発揮するものにすることができる。
【図面の簡単な説明】
【００４３】
【図１】第１実施形態に係る経編地を表面から見た際の外観を示した図である。
【図２】第１実施形態に係る経編地を編み立て方向と直交する方向に沿って切断した際の切断面の一部を模式的に示した図である。
【図３】（ａ）は図２の矢示Ｄ方向から見た凸条部の一部を模式的に示した側面図であり、（ｂ）は図２の矢示Ｅ方向から見た凸条部の一部を模式的に示した側面図である。
【図４】（ａ）は図１におけるＣ部を拡大した模式図であり、（ｂ）は（ａ）の裏面を示した模式図である。
【図５】第１実施形態に係る経編地を表面側から見た画像である。
【図６】第１実施形態に係る経編地を裏面側から見た画像である。
【図７】第１実施形態に係る経編地の編成に使用する編機の要部を示した模式図である。
【図８】前部地筬Ｂ１の編組織図である。
【図９】前部地筬Ｂ２の編組織図である。
【図１０】前部ジャカード筬ＪＢ４ａ，ＪＢ４ｂの編組織図である。
【図１１】後部地筬Ｂ５，Ｂ６の編組織図である。
【図１２】後部ジャカード筬ＪＢ３ａ，ＪＢ３ｂの編組織図である。
【図１３】側壁部の鎖編み列が頂部の鎖編み列に挿入状態で編み込まれた状態を説明するための説明図である。
【図１４】第１実施形態に係る経編地の色彩効果を説明するための説明図である。
【図１５】第１実施形態に係る経編地を図１４の紙面に向かって左手側から見た際の画像である。
【図１６】第１実施形態に係る経編地を図１４の紙面に向かって右手側から見た際の画像である。
【図１７】第２実施形態に係る経編地を編み立て方向と直交する方向に沿って切断した際の切断面の一部を模式的に示した図である。
【図１８】第２実施形態に係る経編地を表面側から見た際の一部を拡大した模式図であり、（ａ）は表面、（ｂ）は裏面を示した図である。
【図１９】第３実施形態に係る経編地を編み立て方向と直交する方向に沿って切断した際の切断面の一部を模式的に示した図である。
【図２０】（ａ）は図１９の矢示Ｇ方向から見た凸条部の一部を模式的に示した側面図であり、（ｂ）は図１９の矢示Ｈ方向から見た凸条部の一部を模式的に示した側面図である。
【図２１】前部ジャカード筬ＪＢ４ａ，ＪＢ４ｂの編組織図である。
【図２２】前部地筬Ｂ１，Ｂ２の編組織図である。
【図２３】後部ジャカード筬ＪＢ３ａ，ＪＢ３ｂの編組織図である。
【図２４】後部地筬Ｂ５の編組織図である。
【図２５】後部地筬Ｂ６の編組織図である。
【図２６】第３実施形態に係る経編地を図１９の紙面に向かって左手側から見た際の画像である。
【図２７】第３実施形態に係る経編地を図１９の紙面に向かって右手側から見た際の画像である。
【発明を実施するための形態】
【００４４】
以下、本発明の具体的な実施の形態について、図面を参照して説明する。
【００４５】
［第１実施形態］
経編地１は、図１に示すように、その表面に水玉模様が形成された編地であり、図２に示すように、基部２と編み立て方向（図１の矢示Ａ方向）に沿って形成された複数の凸条部６とで構成され、前記凸条部６は、頂部３及び当該頂部３の両側下方に形成された一対の側壁部４，５からなる。
【００４６】
前記頂部３は、デンビ編み組織３ｃによって連結された２本の鎖編み列３ａ，３ｂからなり、前記側壁部４，５は、後述するループ４ａ１，５ａ１が前記２本の鎖編み列３ａ，３ｂにそれぞれ挿入状態で編み込まれた鎖編み列４ａ，５ａで構成されている。また、基部２は、前記側壁部４，５の鎖編み列４ａ，５ａが結接された鎖編み列２ａ，２ｂと、隣接した鎖編み列２ａ，２ｂを連結する挿入組織２ｃとから構成されている。尚、本例の経編地１においては、挿入組織２ｃの一部が凸条部６間に露出しており、この凸条部６間に露出している挿入組織２ｃ部分の編糸間を通して、経編地１の向こう側が透けて見えるようになっている。
【００４７】
また、本例の経編地１においては、頂部３を構成する鎖編み列３ａ，３ｂの編糸Ｌ３ａ，Ｌ３ｂ及びデンビ編み組織３ｃを編成する挿入糸Ｌ５，Ｌ６に第１色の編糸を使用し、側壁部４，５を構成する鎖編み列４ａ，５ａの編糸Ｌ４ａ，Ｌ４ｂの内、一方の編糸Ｌ４ａには第２色の編糸、他方の編糸Ｌ４ｂには第３色の編糸を使用している。また、前記基部２を構成する鎖編み列２ａ，２ｂの編糸Ｌ２及び前記挿入組織２ｃを編成する挿入糸Ｌ１に第４色の編糸を使用している。尚、第１色、第２色、第３色及び第４色の組み合わせとしては、例えば、第１色を青色、第２色を赤色、第３色を黄色、第４色を白色とする組み合わせを例示することができる。
【００４８】
また、本例においては、前記頂部３の鎖編み列３ａ，３ｂの編糸Ｌ３ａ，Ｌ３ｂ、デンビ編み組織３ｃを編成する挿入糸Ｌ５，Ｌ６、側壁部４，５の鎖編み列４ａ，５ａの編糸Ｌ４ａ，Ｌ４ｂ及び基部２の鎖編み列２ａ，２ｂの編糸Ｌ２として、先染めナイロン糸や先染めポリエステル糸などを例示することができる。また、前記基部２の挿入組織２ｃを編成する挿入糸Ｌ１としては、熱可塑性ポリエステルエラストマーからなるモノフィラメント糸やナイロンモノフィラメント糸、ポリエステルモノフィラメント糸を例示することができる。
【００４９】
更に、経編地１は、その側壁部４，５が、編み立て方向において、他の部分とは異なる色の編糸で編成された異色編成部を有している。これについて、図３〜図６を参照して詳細に説明する。尚、図３及び図４においては、第１色の部分をドット柄、第２色の部分をハッチング、第３色の部分を黒塗り、第４色の部分を白塗りで表した。
【００５０】
本例の経編地１は、複数の凸条部６における側壁部４の鎖編み列４ａと側壁部５の鎖編み列５ａとを編成する編糸Ｌ４ａ，Ｌ４ｂが相互に入れ替えられており、図３に示すように、側壁部４には、編み立て方向において第２色の編糸Ｌ４ａで編成された部分及び第３色の編糸Ｌ４ｂで編成された部分（異色編成部７）、側壁部５には、第３色の編糸Ｌ４ｂで編成された部分及び第２色の編糸Ｌ４ａで編成された部分（異色編成部７）が、この経編地１の表面に後述する水玉模様が形成されるように配置されている。
【００５１】
したがって、本例の経編地１においては、この経編地１を表面から見た際に頂部３、挿入組織２ｃ及び側壁部４，５の一部が視認され（図４（ａ）参照）、また、経編地１を裏面から見た際に挿入組織２ｃ及び側壁部４，５が視認され（図４（ｂ）参照）、いずれの場合も、第２色と第３色との境目（色の変わり目）が輪郭線（図４（ａ）及び図４（ｂ）中の各点線）の一部となった円が規則的に配置された水玉模様が現れるようになっている（図５及び図６参照）。尚、白塗り部分は、上述した凸条部６間の挿入組織２ｃに相当する部分であり、挿入糸Ｌ１の色が視認されるとともに、挿入糸Ｌ１の間を通して経編地１の向こう側が透けて見えるようになっている。また、経編地１を表面側から見る場合において、頂部３によって側壁部４，５が完全に隠れるような場合には、表面側から見た場合に限って模様が現れない場合もあり得る。
【００５２】
また、本例の経編地１においては、各凸条部の側壁部４，５における色の変わり目が円の輪郭線の一部となるように、各鎖編み列４ａ，５ａの編糸Ｌ４ａ，Ｌ４ｂを入れ替えて、側壁部４，５に異色編成部７を配置するようにしているが、編糸Ｌ４ａ，Ｌ４ｂを入れ替える位置を適宜変更し、側壁部４，５の異色編成部７の位置を変えることで、例えば、色の変わり目が輪郭線となったひし形を規則的に配置した模様が現れるようにしたり、色の変わり目が星型の輪郭線の一部となるようにして、星形が不規則に配置された模様が現れるようにしたりすることが可能である。
【００５３】
尚、上述した説明の中で、側壁部４の異色編成部７を第３色の編糸Ｌ４ｂで編成された部分、鎖編み列５ａの異色編成部７を第２色の編糸Ｌ４ａで編成された部分としているが、「異色編成部」とは他の部分と異なる色の編糸で編成された部分であるから、これらに代えて、側壁部４の第２色の編糸Ｌ４ａで編成された部分、側壁部５の第３色の編糸Ｌ４ｂで編成された部分をそれぞれ異色編成部と捉えても良い。
【００５４】
次に、この経編地１の編成に使用する編機の概略構成について、図７を参照して説明する。
【００５５】
前記編機は、所謂ピエゾジャカード付ダブルラッセル編機であって、それぞれ複数の編針１１，１３を備えた一対の針床１０，１２や、各編針１１，１３に編糸を供給する供給機構１５を備えており、各針床１０，１２に設けられた編針１１，１３は、図７の紙面と直交する方向に沿って間隔を空けて整列され、一対の針床１０，１２は、この整列された編針１１，１３の列が相互に対向するように配置されている。また、前記供給機構１５は、複数のガイドが前記針床１０，１２と平行な方向に沿って間隔を空けて配設された４本の地筬Ｂ１，Ｂ２，Ｂ５，Ｂ６、及び複数のガイドが前記針床１０，１２と平行な方向に沿って間隔を空けて配設された４本のジャカード筬ＪＢ３ａ，ＪＢ３ｂ，ＪＢ４ａ，ＪＢ４ｂを備えている。尚、地筬Ｂ１のガイドには挿入糸Ｌ１、地筬Ｂ２のガイドには編糸Ｌ２、地筬Ｂ５のガイドには挿入糸Ｌ５、地筬Ｂ６のガイドには挿入糸Ｌ６が通糸されており、また、ジャカード筬ＪＢ３ａには編糸Ｌ３ａ、ジャカード筬ＪＢ３ｂには編糸Ｌ３ｂ、ジャカード筬ＪＢ４ａには編糸Ｌ４ａ、ジャカード筬ＪＢ４ｂには編糸Ｌ４ｂが通糸されている。
【００５６】
前記４本の地筬Ｂ１，Ｂ２，Ｂ５，Ｂ６の内、地筬Ｂ１，Ｂ２は一方側の針床（以下、「前部針床」という）１０に対応する筬であり、地筬Ｂ５，Ｂ６は他方側の針床（以下、「後部針床」という）１２に対応する筬である。また、前記４本のジャカード筬ＪＢ３ａ，ＪＢ３ｂ，ＪＢ４ａ，ＪＢ４ｂは、前部針床１０に対応する地筬（以下、「前部地筬」という）Ｂ１，Ｂ２と後部針床１２に対応する地筬（以下、「後部地筬」という）Ｂ５，Ｂ６との間に配置されており、４本のジャカード筬ＪＢ３ａ，ＪＢ３ｂ，ＪＢ４ａ，ＪＢ４ｂの内、後部地筬Ｂ５，Ｂ６側に配置された２本のジャカード筬（前部ジャカード筬）ＪＢ４ａ，ＪＢ４ｂが前部針床１０に対応し、前部地筬Ｂ１，Ｂ２側に配置された２本のジャカード筬（後部ジャカード筬）ＪＢ３ａ，ＪＢ３ｂが後部針床１２に対応し、前部ジャカード筬ＪＢ４ａ，ＪＢ４ｂのガイドによって前部針床１０の編針１１に導かれる編糸Ｌ４ａ，Ｌ４ｂと、後部ジャカード筬ＪＢ３ａ，ＪＢ３ｂのガイドによって後部針床１２の編針１３に導かれる編糸Ｌ３ａ，Ｌ３ｂとは交差するようになっている。
【００５７】
また、各地筬Ｂ１，Ｂ２，Ｂ５，Ｂ６は、針床１０，１２と平行な方向及び図７の紙面に向かって左右方向（以下、「前後方向」という）に沿って移動自在になっており、前記各ジャカード筬ＪＢ３ａ，ＪＢ３ｂ，ＪＢ４ａ，ＪＢ４ｂは、それぞれに配設された各ガイドが針床１０，１２と平行な方向及び前記前後方向に沿って移動自在であって、各ガイドの移動が個別に圧電素子によって制御可能に構成された、所謂ピエゾジャカード筬である。
【００５８】
また、前記前部地筬Ｂ１は前記挿入組織２ｃの編成、前部地筬Ｂ２は前記鎖編み列２ａ，２ｂの編成、前部ジャカード筬ＪＢ４ａ，ＪＢ４ｂは側壁部４，５の鎖編み列４ａ，５ａの編成に使用される。一方、前記後部地筬Ｂ５，Ｂ６は前記デンビ編み組織３ｃの編成、後部ジャカード筬ＪＢ３ａ，ＪＢ３ｂは頂部３の鎖編み列３ａ，３ｂの編成に使用される。
【００５９】
次に、この編機によって経編地１を編成する過程について図８〜図１３を参照して説明する。尚、図８〜図１２は、経編地１を編成するための編組織図であり、図８は地筬Ｂ１の編組織図、図９は地筬Ｂ２の編組織図、図１０は前部ジャカード筬ＪＢ４ａ，ＪＢ４ｂの編組織図、図１１は地筬Ｂ５，Ｂ６の編組織図、図１２は後部ジャカード筬ＪＢ３ａ，ＪＢ３ｂの編組織図をそれぞれ示したものであり、図８〜図１２中の「Ｆ・Ｎ」は前部針床１０、「Ｂ・Ｎ」は後部針床１２を示している。
【００６０】
具体的には、前部針床１０において、各編糸Ｌ４ａ，Ｌ４ｂによって側壁部４，５を構成する２本の鎖編み列４ａ，５ａをそれぞれ編成するとともに（図１０参照）、編糸Ｌ２によって基部２を構成する鎖編み列２ａ，２ｂを編成しつつ（図９参照）、各鎖編み列２ａ，２ｂと、これらの近傍にある他の鎖編み列２ａ，２ｂとを連結するように、挿入糸Ｌ１によって挿入組織２ｃを編成する（図８参照）。
【００６１】
一方、後部針床１２においては、各編糸Ｌ３ａ，Ｌ３ｂによって２本の鎖編み列３ａ，３ｂを編成しつつ（図１２参照）、この２本の鎖編み列３ａ，３ｂを連結するように、挿入糸Ｌ５，Ｌ６によってデンビ編み組織３ｃを編成する（図１１参照）。
【００６２】
ここで、経編地１の編成においては、各凸条部６の側壁部４，５の所定の位置に第２色の編糸Ｌ４ａで編成された部分及び第３色の編糸Ｌ４ｂで編成された部分が配置されるように、前部ジャカード筬ＪＢ４ａ，ＪＢ４ｂに配設されたガイドの移動を個別に制御して、凸条部６を構成する側壁部４，５の鎖編み列４ａ，５ａの編糸Ｌ４ａ，Ｌ４ｂを相互に入れ替えながら各鎖編み列４ａ，５ａを編成する。
【００６３】
具体的に言うと、鎖編み列４ａを編成する編針（第１編針）１１に前部ジャカード筬ＪＢ４ａのガイドによって編糸Ｌ４ａを導いて鎖編み列４ａを編み始めるとともに、第１編針１１に隣接し、鎖編み列５ａを編成する編針（第２編針）１１に前部ジャカード筬ＪＢ４ｂのガイドによって編糸Ｌ４ｂを導いて鎖編み列５ａを編み始める。そして、途中から、第２編針１１に導いていた編糸Ｌ４ｂを第１編針１１に、第１編針１１に導いていた編糸Ｌ４ａを第２編針１１にそれぞれ導くように、各前部ジャカード筬ＪＢ４ａ，ＪＢ４ｂのガイドの移動を個別に制御して、前部ジャカード筬ＪＢ４ａのガイドの位置と前部ジャカード筬ＪＢ４ｂのガイドの位置とを入れ替える。これにより、一の凸条部６を構成する側壁部４，５の鎖編み列４ａ，５ａの編糸Ｌ４ａ，Ｌ４ｂが途中で入れ替わった状態となり、各側壁部４，５に異色編成部７が形成される。
【００６４】
そして、側壁部４，５の第２色の編糸Ｌ４ａで編成された部分と第３色の編糸Ｌ４ｂで編成された部分とが編み立て方向において所定の位置に配置されるように、上述した編糸Ｌ４ａ，Ｌ４ｂの入れ替えを所定のタイミングで複数回繰り返し行いながら、側壁部４，５の鎖編み列４ａ，５ａを編成する。
【００６５】
他の凸条部６についても、これと同様に、側壁部４，５の鎖編み列４ａ，５ａを編成する編糸Ｌ４ａ，Ｌ４ｂの入れ替えを所定のタイミングで複数回繰り返し行いながら、この鎖編み列４ａ，５ａを編成する。
【００６６】
前記編糸Ｌ４ａ，Ｌ４ｂの入れ替えを行うタイミングは、第２色の編糸Ｌ４ａで編成された部分及び第３色の編糸Ｌ４ｂで編成された部分が各凸条部６の側壁部４，５の所定の位置に配置され、外方から経編地１を見た観察者によって任意の模様（本例では水玉模様）が視認されるように、各凸条部６の側壁部４，５ごとに設定する。
【００６７】
また、経編地１の編成においては、側壁部４，５の鎖編み列４ａ，５ａを編成する際に、図１３に示すように、頂部３の鎖編み列３ａ，３ｂと対向する側（後部針床１２と対向する側）にループ４ａ１，５ａ１を形成し、頂部３の鎖編み列３ａ，３ｂの編目に当該ループ４ａ１，５ａ１を挿入するようにして、側壁部４，５の鎖編み列４ａ，５ａを頂部３の鎖編み列３ａ，３ｂに編み込む。また、側壁部４，５の鎖編み列４ａ，５ａを、基部２の鎖編み列２ａ，２ｂに編み込むようにして、基部２の鎖編み列２ａ，２ｂと側壁部４，５の鎖編み列４ａ，５ａとをそれぞれ結接するようにしている。
【００６８】
このようにして、基部２と頂部３とが側壁部４，５によって連結され、頂部３及び側壁部４，５からなる凸条部６が基部２上に形成された一枚の立体的な経編地であって、各凸条部６の側壁部４，５が、編み立て方向において、他の部分とは異なる色の編糸Ｌ４ａ，Ｌ４ｂで編成された異色編成部７を有した経編地１が編成される。
【００６９】
このように編成された経編地１は、編成段階で基部２と凸条部６とを形成するようにしているため、凸条部６の形状にバラツキが生じ難く、各凸条部６の形状がほぼ均一なものとなる。また、凸条部６は、それぞれ鎖編み列で構成された頂部３と側壁部４，５とからなり、側壁部４，５を構成する鎖編み列４ａ，５ａは、頂部３の鎖編み列３ａ，３ｂに挿入状態で編み込まれるとともに、基部２の鎖編み列２ａ，２ｂに編み込まれているため、各凸条部６の形状が崩れ難いものとなっている。
【００７０】
次に、経編地１が奏する色彩効果について、図１４〜図１６を参照しつつ、以下説明する。
【００７１】
本例の経編地１は、編み立て方向と交差する方向からこの経編地１を見る際の観察者の位置に応じて、その見た目が変化する。まず、観察者が図１４の紙面に向かって左手側から経編地１を見た場合について説明する。
【００７２】
水平面から所定の仰角までの範囲Ｒ１内の所定の仰角の方向から経編地１を見た場合には、頂部３のみが視認され、側壁部４，５は観察者の死角に位置するため、側壁部４，５は観察者に視認されない。したがって、この場合には、第１色のみが観察者に視認される。
【００７３】
範囲Ｒ１よりも仰角の大きい範囲Ｒ２内の所定の仰角の方向から経編地１を見た場合には、頂部３に加えて側壁部４が視認され、仰角が大きくなるにつれて、視認される側壁部４の面積が大きくなる。一方、側壁部５は、観察者の死角に位置するため視認されない。したがって、この場合には、第１色の縞状模様とともに、色の変わり目が輪郭線となった第３色の円が第２色上に規則的に配置された水玉模様が観察者に視認される（図１５参照）。
【００７４】
また、範囲Ｒ２よりも仰角の大きい範囲Ｒ３内の所定の仰角の方向から経編地１を見た場合には、頂部３及び側壁部４に加え、基部２の挿入組織２ｃが視認されるようになり、視認される挿入組織２ｃの面積は、仰角が大きくなるにつれて増加する。この場合も、側壁部５は、観察者の死角に位置するため視認されない。したがって、この場合には、第１色の縞状模様と、第４色を含む縞状模様と、第３色の円が第２色上に規則的に配置された水玉模様とが混じり合った模様が観察者に視認される。
【００７５】
次に、観察者が図１４の紙面に向かって右手側から経編地１を見た場合について説明する。
【００７６】
水平面から所定の仰角までの範囲Ｒ４内の所定の仰角の方向から経編地１を見た場合には、上記と同様に、頂部３のみが視認され、側壁部４，５は観察者に視認されないため、この場合、観察者が第１色のみを視認することになる。
【００７７】
範囲Ｒ４よりも仰角の大きい範囲Ｒ５内の所定の仰角の方向から経編地１を見た場合には、頂部３に加えて側壁部５が視認され、仰角が大きくなるにつれて、視認される側壁部５の面積が大きくなる。一方、側壁部４は観察者の死角に位置するため視認されない。したがって、この場合には、第１色の縞状模様とともに、色の変わり目が輪郭線となった第２色の円が第３色上に規則的に配置された水玉模様が観察者に視認される（図１６参照）。
【００７８】
また、範囲Ｒ５よりも仰角の大きい範囲Ｒ６内の所定の仰角の方向から経編地１を見た場合には、頂部３及び側壁部５に加え、基部２の挿入組織２ｃが視認されるようになる。尚、上記と同様に、視認される挿入組織２ｃの面積は、仰角が大きくなるにつれて増加する。また、この場合も、側壁部４は観察者の死角に位置するため視認されない。したがって、この場合には、第１色の縞状模様と、第４色を含む縞状模様と、第２色の円が第３色上に規則的に配置された水玉模様とが混ざり合った模様が観察者に視認される。
【００７９】
尚、この経編地１では、観察者によって第３色の円が第２色上に配置された模様が視認されている状態から、第２色の円が第３色上に配置された模様が視認されている状態へと移り変わるまでの間が、範囲Ｒ３及び範囲Ｒ６内の仰角の方向から見た際に視認される模様並びに正面から見た際に視認される模様によって補完されるため、美妙な色彩効果が発揮される。
【００８０】
以上のように、本例の経編地１は、観察者がこの経編地１を見る際の位置に応じて、観察者に視認される模様の色彩が変化するという従来にはない独特の色彩効果を奏するものである。したがって、この経編地１を衣服や鞄、靴など素材として使用することで、着用者の動きに応じて、経編地１の表面に対する観察者の相対的な位置が変化し、上記色彩効果が発揮されるため、衣服等に優れた美観や躍動感を持たせることができる。また、観察者の位置に応じて見た目が変化するという特徴を生かして、インテリアなどの様々な分野に用いることで、独創的なデザインの製品を生み出すことができる。
【００８１】
また、側壁部４，５に設けられた異色編成部の配置を変更するだけで、種々の模様を形成することができるため、様々なバリエーションのデザインを容易に創出することができる。
【００８２】
尚、この経編地１は、上述したように、１つの凸条部６を構成する一対の側壁部４，５間で編糸Ｌ４ａ，Ｌ４ｂを相互に入れ替えることで、一対の側壁部４，５が異色編成部７を有したものとなるように編成されているため、例えば、凸条部６間に編み列を形成して凸条部６の間隔を広げたり、凸条部６間にメッシュ組織を形成したりすることが可能である。
【００８３】
更に、経編地１においては、凸条部６の形状のバラツキが少ないため、上述した色彩効果が安定して発揮される。
【００８４】
［第２実施形態］
次に、図１７及び図１８を参照しつつ、本発明の第２実施形態に係る経編地２１について説明する。
【００８５】
図１７に示すように、経編地２１は、経編地１とほぼ同様に、基部２２と編み立て方向に沿って形成された複数の凸条部２６とで構成され、凸条部２６は、頂部２３及び当該頂部２３の両側下方に形成された一対の側壁部２４，２５で構成されており、側壁部２４，２５が、編み立て方向において、他の部分とは異なる色の編糸で編成された異色編成部を有しているが、以下の点において経編地１と相違する。
【００８６】
即ち、経編地２１においては、一の凸条部２６を構成する側壁部２４の鎖編み列２４ａと、一の凸条部２６に隣接した凸条部２６’の側壁部２４’，２５’の内、前記一の凸条部２６の側壁部２４と対向する側壁部２５’の鎖編み列２５ａ’との間で編糸を相互に入れ替えるとともに、同様に、一の凸条部２６を構成する側壁部２５の鎖編み列２５ａと、凸条部２６に隣接した他の凸条部２６’’を構成する側壁部２４’’の鎖編み列２４ａ’’との間で編糸を相互に入れ替えている。したがって、当該経編地２１においても、図１８に示すように、側壁部２４，２５に異なる色の編糸で編成された異色編成部が規則的に配置された状態となっており、経編地１と同様の独特な色彩効果を発揮する。尚、図１８においては、第１色をドット柄、第２色をハッチング、第３色を黒塗りで表した。
【００８７】
［第３実施形態］
次に、図１９〜図２７を参照しつつ、本発明の第３実施形態に係る経編地３１について説明する。
【００８８】
図１９に示すように、経編地３１は、経編地１と同様に、基部３２と、編み立て方向に沿って形成された複数の凸条部３６，４０とを有しているが、前記凸条部３６の頂部３３は、隣接する凸条部４０の頂部３７と連結されており、２つの凸条部３６，４０が１つの連結凸条部４２をなしている。具体的に言うと、経編地３１においては、経編地１のデンビ編み組織３ｃに代えて、前記凸条部３６，４０における頂部３３，３７を構成する鎖編み列３３ａ，３３ｂ，３７ａ，３７ｂを連結するデンビ編み組織４１が形成され、２つの凸条部３６，４０が連結された１つの連結凸条部４２を形成している。したがって、経編地３１においては、凸条部３６，４０間に位置する側壁部３５，３８が頂部３３，３７及びデンビ編み組織４１によって隠れた状態になり、側壁部３４，３９が観察者によって視認される。
【００８９】
尚、この経編地３１においても、各凸条部３６，４０の側壁部３４，３５，３８，３９を構成する鎖編み列３４ａ，３５ａ，３８ａ，３９ａは、ループが頂部３３，３７を構成する鎖編み列３３ａ，３３ｂ，３７ａ，３７ｂに挿入状態で編み込まれている。また、基部３２は、側壁部３４，３５，３８，３９の鎖編み列３４ａ，３５ａ，３８ａ，３９ａが結接された鎖編み列３２ａ，３２ｂ，３２ｃ，３２ｄと、これらを連結する挿入組織３２ｅとから構成されている。
【００９０】
この経編地３１では、凸条部３６，４０の頂部３３，３７を構成する鎖編み列３３ａ，３３ｂ，３７ａ，３７ｂの編糸Ｌ１３ａ，Ｌ１３ｂ及びデンビ編み組織４１を編成する挿入糸Ｌ１６，Ｌ１７に第１色の編糸を使用している。また、凸条部３６の側壁部３４，３５を構成する鎖編み列３４ａ，３５ａの編糸Ｌ１４ａ，Ｌ１４ｂの内、一方の編糸Ｌ１４ａには第２色の編糸、他方の編糸Ｌ１４ｂには第３色の編糸を使用し、凸条部４０の側壁部３８，３９を構成する鎖編み列３８ａ，３８ｂの編糸Ｌ１５ａ，Ｌ１５ｂの内、一方の編糸Ｌ１５ａには第４色の編糸、他方の編糸Ｌ１５ｂには第５色の編糸を使用している。更に、前記基部３２を構成する鎖編み列３２ａ，３２ｂ，３２ｃ，３２ｄの編糸Ｌ１２及び挿入組織３２ｅを編成する挿入糸Ｌ１１に第６色の編糸を使用している。尚、編糸及び挿入糸に使用される糸の種類や材質としては、経編地１と同様のものを例示することができる。
【００９１】
また、本例の経編地３１においても、各側壁部３４，３５，３８，３９に異色編成部４３，４４を配置するようにしている。但し、本例の経編地３１では、図２０に示すように、観察者から視認される側壁部に配置された異色編成部、即ち、凸条部３６における側壁部３４に配置された異色編成部４３と、凸条部４０における側壁部３９に配置された異色編成部４４とで、編み立て方向における位置や大きさを変えている。図２０（ａ）において、第１色の部分をドット柄、第２色の部分をハッチング、第３色の部分を黒塗りで表し、図２０（ｂ）において、第１色の部分をドット柄、第４色の部分をハッチング、第５色の部分を黒塗りで表した。尚、図２０（ａ）では第３色の編糸Ｌ１４ｂで編成された部分を異色編成部４３、図２０（ｂ）では第４色の編糸Ｌ１５ａで編成された部分を異色編成部４４としているが、第２色の編糸Ｌ１４ａで編成された部分を異色編成部４３、第５色の編糸Ｌ１５ｂで編成された部分を異色編成部４４と捉えても良い。
【００９２】
この経編地３１は、経編地１の編成に使用した、所謂ピエゾジャカード付ダブルラッセル編機を用いて編成することができる。前部針床１０において、頂部３３，３７を構成する鎖編み列３３ａ，３３ｂ，３７ａ，３７ｂ及びデンビ編み組織４１を編成し、後部針床１２において、各凸条部３６，４０の側壁部３４，３５，３８，３９を構成する鎖編み列３４ａ，３５ａ，３８ａ，３９ａ、基部３２を構成する鎖編み列３２ａ，３２ｂ，３２ｃ，３２ｄ及び挿入組織３２ｅを編成する場合を例にとって、図２１〜図２５を参照しつつ、以下説明する。尚、図２１〜図２５は、経編地３１を編成するための編組織図であり、図２１は前部ジャカード筬ＪＢ４ａ，ＪＢ４ｂの編組織図、図２２は地筬Ｂ１，Ｂ２の編組織図、図２３は後部ジャカード筬ＪＢ３ａ，ＪＢ３ｂの編組織図、図２４は地筬Ｂ５の編組織図、図２５は地筬Ｂ６の編組織図を示したものである。
【００９３】
本例の経編地３１を編成するにあたっては、地筬Ｂ１のガイドには挿入糸Ｌ１６、地筬Ｂ２のガイドには挿入糸Ｌ１７、地筬Ｂ５のガイドには編糸Ｌ１２、地筬Ｂ６のガイドには挿入糸Ｌ１１が通糸されており、ジャカード筬ＪＢ４ａには編糸Ｌ１３ａ、ジャカード筬ＪＢ４ｂには編糸Ｌ１３ｂが通糸されている。また、ジャカード筬ＪＢ３ａには編糸Ｌ１４ａ，Ｌ１５ａ、ジャカード筬ＪＢ３ｂには編糸Ｌ１４ｂ，Ｌ１５ｂが通糸されており、凸条部３６の側壁部３４，３５を編成する編針には編糸Ｌ１４ａ，Ｌ１４ｂ、凸条部４０の側壁部３８，３９を編成する編針には編糸Ｌ１５ａ，Ｌ１５ｂが導かれるようになっている。
【００９４】
そして、前部針床１０において、各編糸Ｌ１３ａ，Ｌ１３ｂによって各凸条部３６，４０の頂部３３，３７となる鎖編み列３３ａ，３３ｂ，３７ａ，３７ｂを編成しつつ（図２１参照）、この４本の鎖編み列３３ａ，３３ｂ，３７ａ，３７ｂを連結するように、挿入糸Ｌ１６，Ｌ１７によってデンビ編み組織４１を編成する（図２２参照）。
【００９５】
一方、後部針床１２においては、各編糸Ｌ１４ａ，Ｌ１４ｂによって側壁部３４，３５を構成する鎖編み列３４ａ，３５ａをそれぞれ編成するとともに（図２３参照）、各編糸Ｌ１５ａ，Ｌ１５ｂによって側壁部３８，３９を構成する鎖編み列３８ａ，３９ａを編成する（図２３参照）。また、編糸Ｌ１２によって鎖編み列３２ａ，３２ｂ，３２ｃ，３２ｄを編成しつつ（図２４参照）、各鎖編み列３２ａ，３２ｂ，３２ｃ，３２ｄを連結するように、挿入糸Ｌ１１によって挿入組織３２ｅを編成する（図２５参照）。
【００９６】
本例の経編地３１においても、経編地１と同様に、側壁部３６，４０の所定の位置に異色編成部４３，４４が配置されるように、後部ジャカード筬ＪＢ３ａ，ＪＢ３ｂのガイドの移動を個別に制御して、各凸条部３６，４０における側壁部３４，３５，３８，３９を編成するようにしている。
【００９７】
具体的に言うと、本例の経編地３１においても、側壁部３４，３５を編成する編糸Ｌ１４ａ，Ｌ１４ｂの入れ替えを所定のタイミングで複数回繰り返すとともに、側壁部３８，３９を編成する編糸Ｌ１５ａ，Ｌ１５ｂの入れ替えを所定のタイミングで複数回繰り返すことによって、各側壁部３４，３５，３８，３９に異色編成部４３，４４を配置するようにしている。但し、本例の経編地３１では、凸条部３６における側壁部３４の異色編成部４３と、凸条部４０における側壁部３９の異色編成部４４とで、編み立て方向における位置や大きさが異なるものとなるように、編糸の入れ替えのタイミングを設定し、編糸の入れ替えを行いながら、各側壁部３４，３５，３８，３９の鎖編み列３４ａ，３５ａ，３８ａ，３９ａを編成するようにしている。
【００９８】
このように、経編地３１においては、観察者に視認される側壁部３４，３９を編成する際に、編糸の入れ替えを異なるタイミングで行うことで、観察者に視認される各側壁部３４，３９の異色編成部４３，４４を編み立て方向においてずれた位置に配置することや、異色編成部４３，４４ごとに編み立て方向における大きさを変えることができる。
【００９９】
したがって、本例の経編地３１においては、観察者が図１９の紙面に向かって左手側から当該経編地３１を見た場合、側壁部３４は視認されるが、側壁部３５，３８，３９は視認されないため、頂部３３，３７及びデンビ編み組織４１の色である第１色の縞状模様とともに、所定の位置に異色編成部４３が配置された側壁部３４の第２色及び第３色からなる模様が観察者に視認される（図２６参照）。
【０１００】
一方、観察者が図１９の紙面に向かって右手側から経編地３１を見た場合、側壁部３９は視認されるが、側壁部３４，３５，３８は視認されないため、頂部３３，３７及びデンビ編み組織４１の色である第１色の縞上模様とともに、所定の位置に異色編成部４４が配置された側壁部３９の第４色及び第５色からなる模様が観察者に視認される（図２７参照）。
【０１０１】
このように、経編地３１では、観察者によって視認される側壁部３４，３９の異色編成部４３，４４を編み立て方向において異なる位置に配置することや、異色編成部４３，４４ごとに編み立て方向における大きさを変えることができ、これにより、当該経編地３１は、編み立て方向と交差する方向からこの経編地３１を見る際の観察者の位置に応じて、視認される模様が変化するという色彩効果を奏する。
【０１０２】
以上、本発明の実施形態について説明したが、本発明が採り得る態様は何らこれらに限定されるものではない。
【０１０３】
例えば、上記第１及び第２実施形態においては、頂部を構成する鎖編み列の編糸及びデンビ編み組織の挿入糸を第１色、各側壁部を構成する鎖編み列の編糸を第２色及び第３色としているが、各側壁部を構成する鎖編み列の編糸に色の異なる２種の編糸を使用する限り、頂部を構成する鎖編み列の編糸の色は特に限定されるものではなく、側壁部を構成する鎖編み列の編成に用いられるいずれか一方の編糸と同色であっても良い。
【０１０４】
このようにしても、各側壁部を構成する鎖編み列の編糸に色の異なる２種の編糸を使用し、各側壁部が異色編成部を有するようにすれば、経編地を見る際の観察者の位置に応じて、その見た目が大きく変化するという独特の色彩効果を発揮させることが可能である。
【０１０５】
また、第３実施形態においては、頂部を構成する鎖編み列の編糸及びデンビ編み組織の挿入糸を第１色、側壁部３４，３５を構成する鎖編み列の編糸を第２色及び第３色、側壁部３８，３９を構成する鎖編み列の編糸を第４色及び第５色としているが、上記第１及び第２実施形態と同様に、頂部を構成する鎖編み列の編糸の色は特に限定されるものではなく、側壁部３４，３５，３８，３９を構成する鎖編み列の編成に用いられるいずれかの編糸と同色であっても良い。このようにしても、経編地を見る際の観察者の位置に応じて、その見た目、特に、模様が大きく変化するという独特の色彩効果を発揮させることができる。
【０１０６】
更に、上記第１及び第２実施形態においては、２本の鎖編み列をデンビ編み組織で連結して頂部を編成するようにしているが、頂部を構成する鎖編み列の数はこれに限られるものではなく、３列以上の鎖編み列を連結して頂部を編成するようにしても良い。また、上記第１、第２及び第３実施形態において、頂部を構成する鎖編み列を連結する編組織は、デンビ編み組織に限られるものではなく、他の編組織であっても良い。
【０１０７】
また、上記第１及び第２実施形態では、凸条部を構成する一対の側壁部の両方が異色編成部を有するようにしているが、これに限られるものではなく、一対の側壁部の一方のみが異色編成部を有するようにしても良い。
【０１０８】
このような経編地は、例えば、上記経編地２１のように、一の凸条部を構成する側壁部の鎖編み列と、この凸条部に隣接した一方の凸条部の側壁部の内、前記一の凸条部の側壁部と対向した側壁部の鎖編み列との間での編糸の入れ替えを利用することで編成することができる。
【０１０９】
また、上記第３実施形態においても、凸条部を構成する一対の側壁部の一方のみが異色編成部を有するようにしても良い。
【符号の説明】
【０１１０】
１    経編地
２    基部
２ａ，２ｂ  鎖編み列
２ｃ  挿入組織
３    頂部
３ａ，３ｂ  鎖編み列
３ｃ  デンビ編み組織
４，５  側壁部
４ａ，５ａ  鎖編み列
６    凸条部
７    異色編成部
１０，１２  針床
１１，１３  編針
Ｂ１，Ｂ２，Ｂ５，Ｂ６  地筬
ＪＢ３ａ，ＪＢ３ｂ，ＪＢ４ａ，ＪＢ４ｂ  ジャカード筬
【図１】
2018066463.tif 000003
【図２】
2018066463.tif 000004
【図３】
2018066463.tif 000005
【図４】
2018066463.tif 000006
【図５】
2018066463.tif 000007
【図６】
2018066463.tif 000008
【図７】
2018066463.tif 000009
【図８】
2018066463.tif 000010
【図９】
2018066463.tif 000011
【図１０】
2018066463.tif 000012
【図１１】
2018066463.tif 000013
【図１２】
2018066463.tif 000014
【図１３】
2018066463.tif 000015
【図１４】
2018066463.tif 000016
【図１５】
2018066463.tif 000017
【図１６】
2018066463.tif 000018
【図１７】
2018066463.tif 000019
【図１８】
2018066463.tif 000020
【図１９】
2018066463.tif 000021
【図２０】
2018066463.tif 000022
【図２１】
2018066463.tif 000023
【図２２】
2018066463.tif 000024
【図２３】
2018066463.tif 000025
【図２４】
2018066463.tif 000026
【図２５】
2018066463.tif 000027
【図２６】
2018066463.tif 000028
【図２７】
2018066463.tif 000029
【国際調査報告】
2018066463.tif 000030
2018066463.tif 000031
2018066463.tif 000032
2018066463.tif 000033